(57)【特許請求の範囲】
【請求項１】
避雷器であって、上下で重なって配置されている複数の層（２、３、４、５、６、１３、１８）と、前記層のうちの少なくとも２つの層（３、４、１３、１８）を貫通する中空空間（６）とを有し、前記２つの層（３、４、１３、１８）間に、前記中空空間（６）と境を接している電極（７、８、２１、２２）が配置されており、
前記中空空間（６）と境を接する少なくとも１つの補助電極（１４、１５、１９、２０）を有し、
前記補助電極（１４、１５、１９、２０）が、前記電極（７、８、２１、２２）とは別の層（１３、１８）上に配置されている、避雷器。
【請求項２】
前記層（２、３、４、５、６、１３、１８）は、前記中空空間（６）を上下方向で限定する下方被覆層（２）と上方被覆層（５）とを有し、前記電極（７、８、２１、２２）は、前記下方被覆層（２）と前記上方被覆層（５）とから距離をとっている、請求項１に記載の避雷器。
【請求項３】
前記電極（７、８、２１、２２）は、アークを形成するために形成された電極端（９、１０、２３、２４）を有し、前記電極端（９、１０、２３、２４）は、前記層（２、３、４、５、６、１３、１８）の平面に対して平行に延在する、請求項１または２に記載の避雷器。
【請求項４】
前記電極端（９、１０、２３、２４）は、前記中空空間（６）の半分の高さ（Ｈ）に配置されている、請求項１〜３のいずれか１項に記載の避雷器。
【請求項５】
少なくとも４つの電極（７、８、２１、２２）を有し、前記電極のそれぞれが前記層（３、４、１３、１８）の積層体の外側縁にまで導かれている、請求項１〜４のいずれか１項に記載の避雷器。
【請求項６】
前記４つの電極（７、８、２１、２２）が十字形の形状で配置されていて、前記十字形が前記中空空間（６）により破断されている、請求項５に記載の避雷器。
【請求項７】
前記中空空間（６）が長方形の底面を有する、請求項１〜６のいずれか１項に記載の避雷器。
【請求項８】
前記中空空間（６）が八角形の底面を有する、請求項１〜６のいずれか１項に記載の避雷器。
【請求項９】
前記電極（７、８、２１、２２）は、部分的に異なる材料を有する、請求項１〜８のいずれか１項に記載の避雷器。
【請求項１０】
前記電極端（９、１０、２３、２４）はタングステンを有し、前記電極（７、８、２１、２２）の別の部分は銅を有する、請求項９に記載の避雷器。
【請求項１１】
避雷器の製造方法であって、
Ａ）少なくとも１つの第１膜（２５）と少なくとも１つの第２膜（２６）と少なくとも１つの第３膜（２７）とを設ける工程と、
Ｂ）電極（７、８）を形成するために、前記第１膜（２５）上に導電材料（２８）を塗布する工程と、補助電極（１４、１５）を形成するために、前記第２膜（２６）上に材料（２９）を塗布する工程と、
Ｃ）前記第１膜（２５）と前記第２膜（２６）と前記第３膜（２７）とを貫通する穴（３１）を形成する工程であって、前記穴（３１）は前記第１膜（２５）中で前記導電材料（２８）を通って延在し、前記第２膜（２６）中の前記穴（３１）は補助電極（１４、１５）を形成するために前記材料（２９）を通って延在する、工程と、
Ｄ）少なくとも１つの下方被覆膜（３２）と少なくとも１つの上方被覆膜（３３）とを設け、かつ、前記第１膜と前記第２膜（２６）とを、前記下方被覆膜（３２）と前記上方被覆膜（３３）との間に配置する工程と
を含む方法。
【請求項１２】
工程Ｃ）の前に、前記第１膜（２５）と前記第２膜（２６）とが膜積層体部分（３０）になるように上下で重なって配置され、その結果、前記導電材料が前記第１膜（２５）と前記第２膜（２６）との間に配置される、請求項１１に記載の方法。
【請求項１３】
避雷器であって、上下で重なって配置されている複数の層（２、３、４、５、６、１３、１８）と、前記層のうちの少なくとも２つの層（３、４、１３、１８）を貫通する中空空間（６）とを有し、前記２つの層（３、４、１３、１８）間に、前記中空空間（６）と境を接している電極（７、８、２１、２２）が配置されており、
前記中空空間（６）が八角形の底面を有する、避雷器。
【発明の詳細な説明】
【背景技術】
【０００１】
過電圧から保護するための避雷器を示す。とりわけ、これは多層構造様式の避雷器である。さらに、避雷器の製造方法を示す。
【０００２】
とりわけ、この避雷器はガス避雷器であり、ガスが充填された中空空間を有する。臨界電圧を上回ると、避雷器の内側の２つの電極間でアーク放電が生じ、これにより電圧の制限が達成される。例えば避雷器は、電気通信分野において採用される。
【０００３】
ＵＳ  ６，７２１，１５７  Ｂ２号、ＵＳ  ８，５０３，１４７  Ｂ２号、ＵＳ  ８，５１４，５３６  Ｂ２号およびＵＳ  ２００７／０２８５８６６  Ａ１号からは、避雷器、とりわけ多層構造様式の避雷器が公知である。
【発明の概要】
【発明が解決しようとする課題】
【０００４】
本発明の課題は、改良された避雷器および避雷器の製造方法を示すことである。
【課題を解決するための手段】
【０００５】
本発明の第１の態様によれば、上下で重なって配置された複数の層を有する避雷器が示される。これらの層は、好ましくは電気的に絶縁して形成されている。例えば、これらはセラミック製の層である。これらの層は、好ましくは全て共に焼結されている。例えば、これらの各層は１つまたは複数の原料膜から製造されている。
【０００６】
この避雷器は中空空間を有し、この中空空間は、少なくとも２つの層を貫通している。好ましくはこの中空空間は、これら２つの層を完全に貫通している。この中空空間は好ましくは完全に外側に向かって閉じられている。とりわけこの避雷器は、少なくとも２つの層を有し、これらの層は中空空間を上下方向で限定する。
【０００７】
中空空間が貫通しているこれらの２つの層の間には、電極が配置されていて、これらの電極は中空空間と境を接している。これらの電極はとりわけ電極端を有し、過電圧が生じた際には、これらの電極端の間でアークが形成される。電極端もこれらの２つの層の間に配置されていて、中空空間がこれらの層を貫通する。とりわけ電極端は、層の平面に対して平行に延在する。好ましくは、中空空間から見ると、電極端は層の平面に対して平行である狭い線として認識されうる。
【０００８】
電極をこのように配置することにより、単純で信頼性のある避雷器の製造が可能になる。とりわけ電極は、中空空間を形成する前にすでに、層上に塗布可能である。したがって、すでに存在する中空空間中に電極を導入するには及ばず、これにより、製造が単純になる。さらに、電極の製造方法を変えずに、中空空間の形状を変えることができる。これにより、中空空間の形状を柔軟に適応させることができ、したがって、避雷器の特性をそれぞれの採用領域に適応させることができる。さらに、この構成により、アークの物理的限界にまで、避雷器を非常に小型化することが可能になる。
【０００９】
例えば、電極を電極ペーストとして原料膜上に塗布する。中空空間を形成するために、その後原料膜中に穴を導入し、この際この穴は電極ペーストを破断し、その結果、２つの別れた電極が形成される。全ての層を上下に積層させた後、積層体を焼結する。
【００１０】
例えば電極は、銅および／またはタングステンを有する。この電極は、部分的に異なる材料を有することもできる。例えば電極端はタングステンを有し、中空空間から遠い電極の部分は、別の材料、例えば銅を有する。タングステンは、その高い熱安定性により、電極端の材料として特に適していて、その結果、高い疲労限度が確保される。
【００１１】
例えば、この避雷器は中空空間を上下方向で限定する下方被覆層と上方被覆層とを有する。電極は、好ましくは下方被覆層と上方被覆層とから距離をとっている。このようにして、過電圧時に、放電が被覆層に渡って起こることが防がれうる。
【００１２】
例えば、電極端は、中空空間の半分の高さに配置されている。したがって電極端は、下方被覆層と上方被覆層とから同じ程度に遠い。
【００１３】
ある実施形態では、避雷器の電極は、中空空間により中断された帯として形成されている。避雷器が２つ以上の電極を有することもできる。
【００１４】
ある実施形態では、避雷器は４つの電極を有する。これら４つの電極は、例えば中空空間で破断された十字形の形状で形成されている。
【００１５】
例えば避雷器の全ての電極が、１つの層上に配置されている。あるいは、電極は異なる層の上にも配置可能である。これらの電極は、好ましくは全て同じ材料から形成されている。
【００１６】
中空空間の形状は、好ましくは層の積層方向で並進不変性がある。この場合、中空空間を単純な方法で打ち抜いて製造することができる。とりわけ中空空間は、直角柱の形状を有する。ある実施形態では、中空空間の底面は長方形形状で形成されている。
【００１７】
さらなる実施形態では、底面は６以上の角を有する。例えば底面は六角形または八角形で形成されている。
【００１８】
例えば、ガスが充填された中空空間を通る電極端間の自由行程が中空空間の壁に沿った行程よりも実質的に短いように、底面が形成される。これにより、電極端間で十分に規定されたアークの形成が可能になる。
【００１９】
ある実施形態では、避雷器は、中空空間と境を接する少なくとも１つの補助電極を有する。補助電極は、好ましくは電極とは別の材料を有する。例えば補助電極は黒鉛を有する。補助電極により、電極端でのアークの形成が促進可能になる。したがって、補助電極は点火補助に役立つ。
【００２０】
補助電極は、好ましくは電極から距離をとっている。例えば補助電極は、電極とは別の層上に配置されている。例えば補助電極は、積層方向で見ると電極とは高さをずらして配置されている。ある実施形態では、少なくとも２つの補助電極が設けられている。これらの補助電極は、例えば共通の層上に配置されている。ある実施形態では、これらの補助電極は異なる層上に配置されている。
【００２１】
例えば避雷器は４つの補助電極を有し、２つの補助電極が電極を担持する層の上方に配置されている層上に配置されていて、２つの補助電極が電極を担持する層の下方に配置されている層上に配置されている。
【００２２】
本発明のさらなる態様によれば、上下で重なって配置されていてかつ中に中空空間が形成された複数の層と、中空空間と境を接している電極とを有する避雷器が示されている。この電極は、部分的に異なる材料から形成されている。例えば、電極端はタングステンを有し、かつ中空空間から遠い電極の部分は別の材料、例えば銅を有する。この避雷器は、例えば、上述の避雷器の１つまたは複数の機能的なおよび／または構造的な特性を有する。
【００２３】
本発明のさらなる態様によれば、複数の層を有する避雷器が示されていて、これらの複数の層は、上下で重なって配置されていて、かつ中に中空空間が形成されている。この避雷器は電極端を備えた電極を有し、この電極端は、中空空間と境を接していて、かつ層の平面と平行に伸張する。中空空間は、長方形ではない底面を有する。例えば中空空間は、六角形または八角形の形状の底面を有する。好ましくは、電極端間で中空空間を通る自由行程が中空空間の壁に沿った行程よりも実質的に短くなるように、底面は形成されている。これにより、電極端間で十分に規定されたアークの形成が可能になる。例えば避雷器は、上述の避雷器の機能的なおよび／または構造的な特性を１つまたは複数個有する。
【００２４】
本発明のさらなる態様によれば、避雷器の製造方法が示される。これは、例えば上述の避雷器の製造方法として機能する。
【００２５】
この際、少なくとも１つの第１膜と少なくとも１つの第２膜とを設ける。これらは、好ましくは原料膜、とりわけセラミック製の原料膜である。複数の第１膜と複数の第２膜とを設けることもできる。この１つまたは複数の第１膜からは、避雷器の第１層が形成され、１つまたは複数の第２膜からは避雷器の第２層が形成されるのが好ましい。
【００２６】
電極を形成するために、第１膜上に導電材料を塗布する。この材料は、例えば連続帯として塗布される。
【００２７】
その後、第１膜と第２膜との中に穴を導入し、この穴は第１膜中で導電材料を破断する。穴を導入する前または後に、第１膜および第２膜を上下で重なって積層させ、その結果、この導電材料は第１膜と第２膜との間に配置されている。
【００２８】
最後に、少なくとも１つの下方被覆膜と少なくとも１つの上方被覆膜とを設け、第１膜および第２膜を、下方被覆膜と上方被覆膜との間に配置する。続いて、膜積層体を焼結させる。
【００２９】
本開示では、発明の複数の態様を記載した。避雷器および／または方法に関して開示されている全ての特性は、各特性が各態様の文脈中で明示的に言及されていない場合でも、他の態様に関しても同様に開示されていて、逆もまた同様である。
【００３０】
以下に、ここで記載した対象物を、概略的で等尺度ではない図に基づいて、より詳細に説明する。
【図面の簡単な説明】
【００３１】
【図１Ａ】避雷器のある実施形態の分解図である。
【図１Ｂ】図１Ａに示した避雷器の断面平面図である。
【図２】避雷器のさらなる実施形態の分解図である。
【図３】避雷器のさらなる実施形態の分解図である。
【図４】避雷器のさらなる実施形態の分解図である。
【図５】避雷器のさらなる実施形態で、避雷器の１つの層の透視図である。
【図６Ａ】避雷器の製造方法工程を示す図である。
【図６Ｂ】避雷器の製造方法工程を示す図である。
【図６Ｃ】避雷器の製造方法工程を示す図である。
【図６Ｄ】避雷器の製造方法工程を示す図である。
【図６Ｅ】避雷器の製造方法工程を示す図である。
【発明を実施するための形態】
【００３２】
以下の図中、好ましくは、同じ参照符号は様々な実施形態の機能的または構造的に対応する部分を指す。
【００３３】
図１Ａは、避雷器１のある実施形態の分解図である。
避雷器１は、上下で重なって配置された複数の層２、３、４、５を有し、したがって多層素子として形成されている。層２、３、４、５は電気絶縁材料から形成されている。例えば、層２、３、４、５はセラミック材料を有する。層２、３、４、５は、好ましくは全て共に焼結されている。とりわけ避雷器１は、モノリシック素子として形成されている。
【００３４】
層２、３、４、５は、それぞれ１つまたは複数の上下で重なって配置された膜、とりわけ原料膜から製造可能である。例えばこれらの１つまたは複数の層２、３、４、５のそれぞれが、複数の膜、例えばそれぞれ２０枚の膜から形成されている。この場合、層２、３、４、５はそれぞれ膜パッケージとして形成されている。しかし、層２、３、４、５は、それぞれ１つの膜のみから形成されていることも可能である。用いられる膜の数は、膜の厚さおよび避雷器１の必要とされる特性に依存する。
【００３５】
避雷器１は、下方被覆層２と上方被覆層５とを有し、これらの間に、中間層３、４が配置されている。例えば、この下方被覆層２は避雷器１の最も下方の層であり、上方被覆層５は避雷器１の最も上方の層である。
【００３６】
中間層３、４は中空空間６を有する。とりわけ中空空間６は完全に中間層３、４を貫通している。中空空間６は、下方向で下方被覆層２により限定され、上方向で上方被覆層５により限定されている。とりわけ中空空間６は上下方向で被覆層２、５の絶縁材料により限定されている。
【００３７】
中空空間６の形状は、好ましくは層２、３、４、５の積層方向で並進不変性がある。とりわけ中空空間６は、直角柱の形状を有する。この際、中空空間６を限定する側壁は、底面に対して垂直に、とりわけ中空空間６を限定する底面ないし被覆面に対して垂直に延在する。中空空間６は、とりわけ層平面に対して平行に底面を有し、層２、３、４、５の積層方向に沿って高さを有する。図１Ａ中では、中空空間６は、長さがＬで幅がＢである長方形状の底面を有する。
【００３８】
中空空間６にはガスが充填されている。このガスの種類は、とりわけ避雷器１の製造時の雰囲気、とりわけ層２、３、４、５、の焼結時の焼結雰囲気に依存する。例えば酸素を除いたなかで焼結が行われる。例えば大気にハロゲン化物が添加されうる。
【００３９】
避雷器１の第１中間層３上には、２つの電極７、８が配置されている。したがって第１中間層３は電極担持層である。とりわけ電極７、８は、２つの中間層３、４の間に配置されている。電極７、８は、第１中間層３の一方の縁から対向する縁まで伸張し、層３の別の縁からは距離をとっている。電極７、８は、中空空間６により破断された個々の帯として見なすことも可能である。
【００４０】
電極７、８は、中空空間６と境を接している。とりわけ、電極７、８はそれぞれ電極端９、１０を有し、これらが、中空空間６に接して配置されている。電極端９、１０は、とりわけ、対向し合いかつ中空空間６を側方で限定する側壁１１、１２に配置されている。電極端９、１０は、臨界電圧を上回った際に電極７、８間でアークを発生させるために形成されている。
【００４１】
例えば電極７、８は、銅および／またはタングステンを有する。電極７、８は、部分的に異なる材料を有することもできる。例えば電極端９、１０はタングステンを有し、電極７、８の中空空間６から遠い部分は、別の材料、例えば銅を有する。
【００４２】
図１Ｂは、図１Ａの避雷器１をＡ――Ａで表記した位置で切った平面図である。とりわけここでは、中空空間６を限定する第１側面１１を平面図中で見ることができる。第１側面１１では、第１電極７の電極端９が配置されている。したがって、電極端９は第１側面１１の一部分を形成する。第２側面１２の平面図は、第１側面１１の平面図に合致する。
【００４３】
電極端９、１０は、それぞれ層平面に対して平行に、したがって積層方向に対して垂直の狭い線として延在する。電極端９、１０をこのように形成することにより、局所的に電界を上昇させ、したがってアークの点火が規定された領域で生じる。
【００４４】
電極端９、１０は、完全に中間層３、４間に配置されていて、したがって層３、４を越えない。したがって、側壁１１は、電極端９、１０の位置を除いて完全に第１および第２中間層３、４の材料で形成されている。電極端９、１０は、とりわけ中空空間６の内側で第１および第２中間層３、４の材料を被覆することはしていない。
【００４５】
電極端９、１０は、中空空間６の高さＨの半分に配置されている。この際、この高さ方向は積層方向に合致する。とりわけ電極端９、１０は、中空空間６を限定する底面および被覆面から距離をとっている。とりわけ電極７、８は、中空空間６を上下に限定する上方または下方被覆層２、５とは境を接していない。さらに、電極７、８の幅ｂおよびこれに応じて電極端９、１０の幅ｂは、中空空間６の幅Ｂよりも小さい。
【００４６】
したがって、電極端９、１０は、中空空間６を限定する他の面とは境を接していず、それぞれ単一の側面１１、１２のみに配置されている。これにより、確実に、電極端９、１０間の自由長、すなわち、ガスが充填された中空空間６を通る行程の長さが、電極端９、１０間の層２、３、４、５の材料に沿う行程よりも短い。したがって、点火電圧が達成される際には、電極端９、１０間に、規定の気体放電がとりわけアークが確実に生成される。
【００４７】
電極７、８は、好ましくはさらなるコンタクト接続部と連結されている（不図示）。さらなるコンタクト接続部は、蓋として避雷器１の対向する側に形成可能であり、とりわけ蓋として避雷器１の狭い側に形成可能である。好ましくは、避雷器１はＳＭＤ素子として、すなわち表面実装可能な素子として形成されている。避雷器１は、例えば導体基板上に取り付けるために形成されている。
【００４８】
図２は、避雷器１のさらなる実施形態の分解図である。
図１Ａおよび図１Ｂ中で示した避雷器１とは異なり、ここで図示した避雷器１は、追加的に２つの補助電極１４、１５を有する。補助電極１４、１５は、さらなる中間層１３上、とりわけ第３中間層１３上に配置されている。さらなる実施形態では、避雷器１は、１つのみまたは２つ以上の補助電極も有しうる。さらなる中間層１３は、第１電極を担持する中間層３と、第２中間層４との間に配置されている。したがって補助電極１４、１５は、電極８、９と高さをずらして形成されている。
【００４９】
これに代わる実施形態では、補助電極１４、１５は、電極７、８と同じ層３上に配置可能である。さらなる代替となる実施形態では、さらなる中間層１３を、下方被覆層２と電極を担持する中間層３との間に配置することも可能である。
【００５０】
さらなる中間層１３は、別の層２、３、４、５と同様に複数の膜から形成可能である。中空空間６はさらなる中間層１３も貫通している。
【００５１】
補助電極１４、１５は、中空空間６を限定する対向する側面１６、１７に配置されている。補助電極１４、１５は、電極端９、１０とは別の側面１６、１７に配置されている。補助電極１４、１５は、電極７、８とは境を接していない。補助電極１４、１５の長さｌは中空空間６の長さＬよりも短い。
【００５２】
補助電極１４、１５は、電極７、８間でガス放電を形成する際の点火補助として機能する。補助電極１４、１５は、好ましくは電極７、８とは異なる材料を有する。例えば補助電極１４、１５は、黒鉛または炭素を有する。
【００５３】
補助電極１４、１５は、それぞれさらなる側面１６、１７と境を接している狭い帯として形成されている。さらなる側面１６、１７の平面図では、補助電極１４、１５は狭い線として層平面に平行に見ることができる。
【００５４】
図３は、避雷器１のさらなる実施形態の分解図である。
図２の避雷器１とは異なり、避雷器１は、もう１つのさらなる中間層１８、とりわけ第４中間層１８を有する。この第４中間層１８は、第１下方被覆層２と、電極を担持する層３との間に配置されている。第４中間層１８は、第３中間層１３と同様に形成されている。とりわけ中空空間６は第４中間層１８を貫通し、さらなる第３および第４補助電極１９、２０は第４中間層１８上に配置されている。
【００５５】
第３および第４補助電極１９、２０が電極７、８の平面の下方に配置されている一方、第１および第２補助電極１４、１５が電極７、８の平面の上方に配置されている。第３および第４補助電極１９、２０は、第１および第２補助電極１４、１５と同じ側面１６、１７に配置されている。
【００５６】
図４は、避雷器１のさらなる実施形態の分解図である。
図１の避雷器１とは異なり、この実施形態では、第１および第２電極７、８に加えて、さらに２つの電極２１、２２、すなわち第３および第４電極２１、２２が存在する。これらのさらなる電極２１、２２は、好ましくは、第１および第２電極７、８と同じ材料を有する。さらなる電極２１、２２は、第１および第２電極７、８と同じ層３上に配置されている。
【００５７】
第３および第４電極２１、２２は、電極端２３、２４を有し、これらは、第１および第２電極７、８の電極端９、１０とは別の側面１６、１７上に配置されている。とりわけ電極７、８、２１、２２は十字形を形成し、この十字形は中央で中空空間６により破断されている。第３および第４電極２１、２２の電極端２３、２４は、第１および第２電極７、８の電極端９、１０と同様、層平面に平行な平面上で延在する。
【００５８】
電極７、８、２１、２２は、例えば相互接続可能であり、これにより、臨界電圧を上回った際に、第１および／または第２電極７、８から第３および／または第４電極２１、２２へガス放電が行われる。例えば第１および第２電極７、８が共通の電位であり、かつ第３および第４電極２１、２２が共通の電位である。しかし、電極７、８、２１、２２が全て異なる電位であってもよい。
【００５９】
これに代わる実施形態では、さらなる電極２１、２２は、第１および第２電極７、８とは別の層上に配置されている。
【００６０】
この避雷器１でも、図２および図３に図示した実施形態と同様、１つまたは複数の補助電極１４、１５、１９、２０が存在しうる。
【００６１】
図５は、避雷器１のさらなる実施形態を示すが、ここでは、電極を担持する第１中間層３のみを図示している。この場合、中空空間６は非長方形形状の底面を有する。この底面は、４を上回る数の角を備えた多角形形状で形成されている。とりわけこの底面は、八角形形状で形成されている。この際、この多角形は、底面に対して垂直で電極端９、１０に対して平行でありかつ電極端９、１０間の中央で貫通して延在している面で鏡対称的である。さらに、この多角形は、底面に対して垂直で電極端９、１０に対して垂直でありかつ電極端９、１０の中央を貫通して延在している面で鏡対称的である。好ましくは底面の全ての内角は、１８０°以下である。
【００６２】
例えばこの多角形は、縦長形状を有する。とりわけ電極端９、１０が配置されているこの中空空間６の側面１１、１２は、対向する他の側面１６、１７よりも互いに対して大きい距離をとっている。例えば電極端９から対向する電極端１０までの中空空間６の直径は、これに対して垂直方向の直径よりも大きい。代替となる実施形態では、多角形は正多角形として形成可能である。好ましくは、この場合も電極端９、１０の幅は、電極端９、１０が配置されている側面１１、１２の幅よりも短い。
【００６３】
図５中に図示された実施形態は、図１Ａ〜図４中に図示された実施形態と任意に組み合わせ可能である。例えば図５中に図示された実施形態で、補助電極が存在しうる。
【００６４】
図６Ａ〜図６Ｅは、避雷器、例として図２に図示した避雷器１の製造方法工程を示す。
第１方法工程６Ａでは、避雷器１の３つの中間層２、３、４を形成するために少なくとも３つの膜２５、２６、２７が設けられる。膜２５、２６、２７は、例えば原料膜、とりわけセラミック製の原料膜として形成されている。中間層２、３、４は、それぞれ１つ以上の膜からも形成可能である。例えば中間層２、３、４のそれぞれに複数の膜、例えば２０枚の膜が設けられている。膜２５、２６、２７は、この方法工程中では、まだ印刷はされていず、穴を有さない。
【００６５】
さらなる方法工程６Ｂでは、第１中間層３が形成される第１膜２５上に、電極７、８を形成するための導電材料２８が塗布される。この材料２８は、例えば電極ペーストの形態で、例えばスクリーンプリント法で塗布される。この材料２８は、例えば銅および／またはタングステンを含有し、またはこれからなる。この材料２８は、この際、連続面とりわけ連続帯として塗布される。この材料は、第１膜２５の１つの縁から第１膜２５の対向する縁まで達する。
【００６６】
第２膜２６上には、補助電極１４、１５を形成するためにさらなる材料２９が塗布される。このさらなる材料２９は、連続面として塗布される。この材料２９は、中央領域中でのみ膜２６上に塗布され、したがって膜２６の縁にまで到達しない。このさらなる材料２９は例えば黒鉛であり、または黒鉛を含有する。
【００６７】
さらなる方法工程６Ｃでは、膜２５、２６、２７は、膜積層体部分３０になるように上下で重ねられ、ラミネートされる。
【００６８】
さらなる方法工程６Ｄでは、この膜積層体部分３０中に、中空空間６を形成するために穴３１が導入される。この際、この穴３１は膜積層体部分３０全部を貫通している。例えば穴３１は、打ち抜き、例えば機械的な打ち抜きまたはレーザ打ち抜きにより製造される。
【００６９】
穴３１を形成することにより、電極８、９を形成するために塗布された材料２８と補助電極１４、１５を形成するための材料２９とは、それぞれ２つの部分に分けられる。
【００７０】
さらなる方法工程６Ｅでは、少なくとも２つの被覆膜３２、３３が下方および上方被覆層２、５を形成するために設けられる。下方および上方被覆層２、５用にもそれぞれ複数の膜が用いられうる。被覆膜３２、３３は、好ましくは中間層３、４、５を形成するための膜２５、２６、２７と同様に形成されている。とりわけ、これはセラミック製の原料膜でありうる。
【００７１】
膜積層体部分３０は、下方被覆膜３２と上方被覆膜３３との間に配置され、その結果、膜積層体３４が形成される。この際、穴３１は、被覆膜３２、３３により上下から覆われ、その結果、中空空間６は、今形成された膜積層体３４の完全に内側にあるように生じる。続いて、膜積層体３４は焼結される。
【００７２】
焼結前後には、電極８、９を電気的にコンタクト接続するためにさらなるコンタクト接続部が形成可能である。例えば、さらなるコンタクト接続部が、蓋として膜積層体３４の対向する側上に塗布される。
【００７３】
ここまで、単純に提示するために、それぞれ１つの膜３２、２５、２６、２７、３３のみからなる層２、３、４、５の製造について記載してきた。それぞれ複数の膜からなる層の製造も類似的に行われる。例えば工程６Ｃの膜積層体部分３０の形成前に、複数の膜から個々の膜パッケージが形成可能である。例えば工程６Ａまたは６Ｂ中で、個々の膜２５、２６、２７の代わりにすでに膜パッケージが存在する。しかし、工程６Ｃで初めて膜が全て上下で重なって配置され、この段階までは膜パッケージが存在しないことも可能である。さらに、工程６Ｄで記載した穴３１を導入する工程を、個々の膜パッケージで行い、続いてこれらを上下で重なるように積層することも可能である。
【符号の説明】
【００７４】
１  避雷器
２  下方被覆層
３  第１中間層
４  第２中間層
５  上方被覆層
６  中空空間
７  第１電極
８  第２電極
９  第１電極の電極端
１０  第２電極の電極端
１１  第１側面
１２  第２側面
１３  第３中間層
１４  第１補助電極
１５  第２補助電極
１６  第３側面
１７  第４側面
１８  第４中間層
１９  第３補助電極
２０  第４補助電極
２１  第３電極
２２  第４電極
２３  第３電極の電極端
２４  第４電極の電極端
２５  第１膜
２６  第２膜
２７  第３膜
２８  導電材料
２９  さらなる材料
３０  膜積層体部分
３１  穴
３２  下方被覆膜
３３  上方被覆膜
３４  膜積層体
ｂ  電極の幅
Ｂ  中空空間の幅
ｌ  補助電極の長さ
Ｌ  中空空間の長さ
Ｈ  中空空間の高さ
【図１Ａ】
0006707632.tif 000002
【図１Ｂ】
0006707632.tif 000003
【図２】
0006707632.tif 000004
【図３】
0006707632.tif 000005
【図４】
0006707632.tif 000006
【図５】
0006707632.tif 000007
【図６Ａ】
0006707632.tif 000008
【図６Ｂ】
0006707632.tif 000009
【図６Ｃ】
0006707632.tif 000010
【図６Ｄ】
0006707632.tif 000011
【図６Ｅ】
0006707632.tif 000012